(57)【特許請求の範囲】
【請求項１】
四角形状の箱体１の前面に横枠杆２を介して上方に横長挿入口３を、下方に横長取出口４を設け、更に横長取出口４の全周縁に断面Ｌ字状で内方に張出した張出縁部５を設けた前面枠部６を設け、又更に前面枠部６に下方が前方に回動開口する取出蓋体７を装着し、又更に横枠杆２は、横長板８の全上縁に後方上向きに折曲突設すると共に取出蓋体７に当接する上傾斜板９と、全下縁に後方上向きに上傾斜板９より広巾に折曲突設した下傾斜板１０と、上傾斜板９の両端と下傾斜板１０の両端に亘り固着した両端密閉板１１，１１と、下傾斜板１０の両端に近接して水落下孔１２，１２を設けて形成し、更に両端密閉板１１，１１を箱体１の両面板１３，１３に固着し、且又横長挿入口３に下方が後方に回動開口すると共に横枠杆２に備えた上傾斜板９に当接する横長挿入蓋１４を装着し、又水落下孔１２，１２の下方に位置した箱体１の底面板１５に排水孔１６，１６を設け、更に下傾斜板１０に設けた水落下孔１２，１２は箱体１の両面板１３，１３と前面枠部６の両側面枠との間に設けて落下水通路部１７，１７を形成し、又底面板１５には落下した水が底面板１５の後方への流動を阻止する補強突条２４を設け、又更に底面板１５には多数の通気孔２５，２５・・・を設けたことを特徴とする郵便受け。
【発明の詳細な説明】
【０００１】
【産業上の利用分野】
この発明は、雨対策として郵便物が雨によって濡れることを防止した郵便受けに関するものである。
【０００２】
【従来の技術】
従来より、屋外に取付けられる郵便受けとして多種多様なものが知られている。
【０００３】
【発明が解決しようとする問題点】
ところで、従来の室外に取付けられる郵便受けは前面に設けた郵便物横長挿入口に設けた横長挿入蓋に付着した雨水が箱体内に流入し郵便物を濡らす等の欠点があつた。
【０００４】
この発明は、上記の問題点を解決したもので、横長挿入口に設けた横長挿入蓋に付着し、箱体内に流入した雨水で郵便物を濡らすことなく、使用便利な郵便受けを得ることを目的としたものである。
【０００５】
【問題点を解決するための手段】
上記の目的を達成するためのこの発明は、四角形状の箱体１の前面に横枠杆２を介して上方に横長挿入口３を、下方に横長取出口４を設け、更に横長取出口４の全周縁に断面Ｌ字状で内方に張出した張出縁部５を設けた前面枠部６を設け、又更に前面枠部６に下方が前方に回動開口する取出蓋体７を装着し、又更に横枠杆２は、横長板８の全上縁に後方上向きに折曲突設すると共に取出蓋体７に当接する上傾斜板９と、全下縁に後方上向きに上傾斜板９より広巾に折曲突設した下傾斜板１０と、上傾斜板９の両端と下傾斜板１０の両端に亘り固着した両端密閉板１１，１１と、下傾斜板１０の両端に近接して水落下孔１２，１２を設けて形成し、更に両端密閉板１１，１１を箱体１の両面板１３，１３に固着し、且又横長挿入口３に下方が後方に回動開口すると共に横枠杆２に備えた上傾斜板９に当接する横長挿入蓋１４を装着し、又水落下孔１２，１２の下方に位置した箱体１の底面板１５に排水孔１６，１６を設け、更に下傾斜板１０に設けた水落下孔１２，１２は箱体１の両面板１３，１３と前面枠部６の両側面枠との間に設けて落下水通路部１７，１７を形成し、又底面板１５には落下した水が底面板１５の後方への流動を阻止する補強突条２４を設け、又更に底面板１５には多数の通気孔２５，２５・・・を設けたものである。
【０００６】
【実施例】
以下この発明の実施例を図１乃至図１０について説明すると、四角形状の箱体１の前面に横枠杆２を介して上方に郵便物１８を投入する横長挿入口３を、下方に郵便物１８を取り出す横長取出口４を設けたものである。
【０００７】
又横長取出口４の全周縁に断面Ｌ字状で内方に張出した張出縁部５を設けた前面枠部６を設け、この前面枠部６に上方第１軸着部１９を介して下方が前方に回動開口する取出蓋体７を装着したものである（図３、図４、図５参照）。
【０００８】
又取出蓋体７の回動は取出蓋体７に取付けた把持片２０を指先で摘んで引っ張れば回動することができるものである（図３参照）。
【０００９】
又把持片２０には前面枠部６の下部に取付けた環状体２１が挿入される窓孔２２を設け、この環状体２１に市販の錠体（図示せず）を取付けることで取出蓋体７の開口を阻止するものである。
【００１０】
又横枠杆２は、横長板８の全上縁に後方上向きに折曲突設すると共に取出蓋体７に当接する上傾斜板９と、全下縁に後方上向きに上傾斜板９より広巾に折曲突設した下傾斜板１０と、上傾斜板９の両端と下傾斜板１０の両端に亘り固着した両端密閉板１１，１１と、下傾斜板１０の両端に近接して水落下孔１２，１２を設けて形成し、更に両端密閉板１１，１１を箱体１の両面板１３，１３にロー着等で固着したものである（図７、図８、参照）。
【００１１】
又横長挿入口３に第２軸着部２３を介して下方が後方に回動開口すると共に横枠杆２に備えた上傾斜板９に当接する横長挿入蓋１４を装着したものである。  （図４、図５、参照）。
【００１２】
又水落下孔１２，１２の下方に位置した箱体１の底面板１５に排水孔１６，１６を設けたものである（図７、図８、図９参照）。
【００１３】
又下傾斜板１０に設けた水落下孔１２，１２は箱体１の両面板１３，１３と前面枠部６の両側面枠との間に設けて落下水通路部１７，１７を形成して箱体１内の濡れを阻止するようにしたものである。
【００１４】
又底面板１５には補強突条２４を設けて落下した水が底面板１５の後方への流動を阻止して底面板１５を濡らすことを防止したものである。
【００１５】
又底面板１５には多数の通気孔２５，２５・・・を設けて箱体１内の通気を行い底面板１５の表面の濡れを極力防止するものである。
【００１６】
【発明の作用効果】
この発明は以上のような構成であり、四角形状の箱体１の前面に横枠杆２を介して上方に郵便物１８を投入する横長挿入口３を、下方に郵便物１８を取り出す横長取出口４を設けたので屋外に取付けて使用するものである。
【００１７】
又横長取出口４の全周縁に断面Ｌ字状で内方に張出した張出縁部５を設けた前面枠部６を設け、この前面枠部６に上方第１軸着部１９を介して下方が前方に回動開口する取出蓋体７を装着したので屋外に於ける雨水の箱体１内への流入は、前面枠部６に内方に張出した張出縁部５に阻止されるものである。
【００１８】
又横長挿入口３に装着した横長挿入蓋１４は下方が後方に回動して横長挿入口３が開閉するものであるので雨中に於いて横長挿入蓋１４に付着した雨水は箱体１内へ横枠杆２と横長挿入蓋１４との間隙より流入するものである。
【００１９】
ところで横枠杆２は、横長板８の全上縁に後方上向きに折曲突設すると共に取出蓋体７に当接する上傾斜板９と、全下縁に後方上向きに上傾斜板９より広巾に折曲突設した下傾斜板１０と、上傾斜板９の両端と下傾斜板１０の両端に亘り固着した両端密閉板１１，１１と、下傾斜板１０の両端に近接して水落下孔１２，１２を設けて形成し、この横枠杆２の両端密閉板１１，１１を箱体１の両面板１３，１３に固着したので雨中に於いて取出蓋体７に付着した雨水は下傾斜板１０上に落下し、更に水落下孔１２，１２より下方に落下し、又更に水落下孔１２，１２の下方に位置した箱体１の底面板１５に設けた排水孔１６，１６より箱体１の外部に排出されるもので底面板１５の広い範囲に亘る水による汚損を少なくしたものである。
【００２０】
又下傾斜板１０に設けた水落下孔１２，１２は箱体１の両面板１３，１３と前面枠部６の両側面枠との間に設けて落下水通路部１７，１７を形成して箱体１内の濡れを阻止するようにしたものである。
【００２１】
又底面板１５には補強突条２４を設けて落下した水が底面板１５の後方への流動を阻止して底面板１５を濡らすことを防止したものである。
【００２２】
又底面板１５には多数の通気孔２５，２５・・・を設けて箱体１内の通気を行い底面板１５の表面の濡れを極力防止するものである。
【００２３】
よって雨中に於ける箱体１内の雨水による濡れを防止し、且つ流入した雨水は的確に外部に排水されて郵便物１８の損傷を極力阻止するものである。
【００２４】
又構造も簡単で製作も容易であり、安価に提供できる等の幾多の産業的効果を奏するものである。
【図面の簡単な説明】
【図１】この発明の斜視図である。
【図２】郵便物の投入時を示した斜視図である。
【図３】郵便物の取出し時を示した斜視図である。
【図４】図１に於けるＡーＡ断面図である。
【図５】図１に於けるＢーＢ断面図である。
【図６】図１に於けるＣーＣ断面図である。
【図７】要部の斜視図である。
【図８】要部の一部切欠斜視図である。
【図９】横長杆の一部切欠斜視図である。
【図１０】この発明の後方で下方から見た斜視図である。
【符号の説明】
１  箱体
２  横枠杆
３  横長挿入口
４  取出口
５  張出縁部
６  前面枠部
７  取出蓋体
８  横長板
９  上傾斜板
１０  下傾斜板
１１  両端密閉板
１２  水落下孔
１３  両面板
１４  横長挿入蓋
１５  底面板
１６  排水孔
１７  落下水通路部
１８  郵便物
１９  上方第１軸着部
２０  把持片
２１  環状体
２２  窓孔
２３  上方第２軸着部
２４  補強突条
２５  通気孔
【図１】
0003874311.tif 000002
【図２】
0003874311.tif 000003
【図３】
0003874311.tif 000004
【図４】
0003874311.tif 000005
【図５】
0003874311.tif 000006
【図６】
0003874311.tif 000007
【図７】
0003874311.tif 000008
【図８】
0003874311.tif 000009
【図９】
0003874311.tif 000010
【図１０】
0003874311.tif 000011